Podtech/llm-jp-corpus-v4-ja_patent huggingface dataset:
【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
疾患の治療または予防で使用するための医薬の調製における抗原の使用であって、前記治療が、１種または複数の化学療法薬および抗原を同時に、逐次的に、または別々に被験体に投与するステップを含み、化学療法後６週間以内に抗原が投与される、上記使用。
【請求項２】
疾患の治療または予防で使用するための医薬の調製における抗原および１種または複数の化学療法薬の使用であって、医薬の投与パターンが、化学療法後６週間以内に抗原を投与することを含む、上記使用。
【請求項３】
疾患の治療または予防で用いるための医薬の調製における抗原の使用であって、前記治療が１種または複数の化学療法薬との併用療法で使用するためのものであり、化学療法後６週間以内に抗原が投与される、上記使用。
【請求項４】
疾患の治療または予防で用いるための医薬の調製における１種または複数の化学療法薬の使用であって、前記治療が抗原との併用療法で使用するためのものであり、化学療法後６週間以内に抗原が投与される、上記使用。
【請求項５】
疾患の治療または予防における、同時に、別々に、または逐次的に使用するための医薬の製造における抗原および１種または複数の化学療法薬の使用であって、１種または複数の化学療法薬を投与する前と、化学療法薬の投与後６週間以内に抗原が投与される、上記使用。
【請求項６】
抗原に対する免疫応答を誘発するために、哺乳動物に投与するための医薬の調製における抗原の使用であって、疾患の治療または予防において、１種または複数の化学療法薬の投与の前に、および/または間、および/または投与後６週間以内に抗原が投与される、上記使用。
【請求項７】
疾患の治療または予防で使用するための医薬の調製における抗原の使用であって、前記治療または予防が、１種または複数の化学療法薬および抗原を同時に、逐次的に、または別々に被験体に投与することを含み、被験体のCD4+CD25+Treg細胞カウントが低減し、またはCD4+CD25+Treg細胞の機能が低下している場合に抗原が投与される、上記使用。
【請求項８】
疾患の治療または予防で使用するための医薬の調製における抗原および１種または複数の化学療法薬の使用であって、CD4+CD25+Treg細胞カウントが低減したか、またはCD4+CD25+Treg細胞の機能が低下した際に抗原が投与される、上記使用。
【請求項９】
疾患の治療または予防で使用するための医薬の調製における抗原の使用であって、前記治療が１種または複数の化学療法薬との併用療法で使用するためのものであり、CD4+CD25+Treg細胞カウントが低減したか、またはCD4+CD25+Treg細胞の機能が低下した際に抗原が投与される、上記使用。
【請求項１０】
疾患の治療または予防で使用するための医薬の調製における１種または複数の化学療法薬の使用であって、前記治療が抗原との併用療法で使用するためのものであり、CD4+CD25+Treg細胞カウントが低減したか、またはCD4+CD25+Treg細胞の機能が低下した際に抗原が投与される、上記使用。
【請求項１１】
疾患の治療または予防において同時に、別々に、または逐次的に用いるための医薬の製造における抗原および１種または複数の化学療法薬の使用であって、化学療法を施す前に、CD4+CD25+Treg細胞カウントが低減したか、またはCD4+CD25+Treg細胞の機能が低下した際に、抗原が投与される、上記使用。
【請求項１２】
抗原に対する免疫応答を誘発するために、哺乳動物に投与するための医薬の調製における抗原の使用であって、抗原の投与が、化学療法薬の投与の前、および/または間、および/または後に抗原を投与することを含み、哺乳動物のCD4+CD25+Treg細胞カウントが低減したか、またはCD4+CD25+Treg細胞の機能が低下している場合に抗原が投与される、上記使用。
【請求項１３】
抗原が腫瘍関連抗原であり、疾患が癌である、請求項１〜１２のいずれか１項に記載の使用。
【請求項１４】
腫瘍関連抗原が5T4である、請求項１３に記載の使用。
【請求項１５】
抗原に対する免疫応答を増強するための医薬の製造における化学療法薬の使用であって、抗原に対する感作の前６週間以内に、および/または感作の間、および/または感作後に化学療法薬が投与される、上記使用。
【請求項１６】
投与のための１種または複数の化学療法薬と組み合わせて、抗原を投与するための手段を含むキット。
【請求項１７】
抗原および１種または複数の化学療法薬、および製薬上許容される担体、希釈剤または賦形剤を含む、医薬組成物。
【請求項１８】
別々に、同時に、または逐次的に投与するために２つの構成成分として提供される、請求項１７に記載の組成物。
【請求項１９】
抗原が、5T4、癌精巣抗原(HOM-MEL-40)、分化抗原(HOM-MEL-55)、過剰発現された遺伝子産物(HOM-MD-21)、突然変異した遺伝子産物(NY-COL-2)、スプライスバリアント(HOM-MD-397)、遺伝子増幅産物(HOM-NSCLC-11)、癌関連自己抗原(HOM-MEL-2.4)、MART-1(T細胞によって認識されるメラノーマ抗原-1)、MAGE-A(MAGE-A1、MAGE-A2、MAGE-A3、MAGE-A4、MAGE-A6、MAGE-A8、MAGE-A10、MAGE-A12)、MAGE B(MAGE-B1、MAGE-B24)、MAGE-C(MAGE-C1/CT7、CT10)、GAGE(GAGE-1、GAGE-8、PAGE-1、PAGE-4、XAGE-1、XAGE-3)、LAGE(LAGE-1a(1S)、-1b(1L)、NY-ESO-1)、SSX(SSX1-SSX-5)、BAGE、SCP-1、PRAME(MAPE)、SART-1、SART-3、CTp11、TSP50、CT9/BRDT、gp100、MART-1、TRP-1、TRP-2、MELAN-A/MART-1、癌胎児抗原(CEA)、前立腺特異抗原(PSA)、MUCIN(MUC-1)、およびチロシナーゼ、Her2、サバイビン、およびTERTから選択される腫瘍関連抗原(TAA)である、請求項１７または１８に記載の組成物。
【請求項２０】
抗原が発現ベクターによって提示される、請求項１７〜１９のいずれか１項に記載の組成物。
【請求項２１】
発現ベクターがウイルスベクターである、請求項２０に記載の組成物。
【請求項２２】
ウイルスベクターがMVA由来である、請求項２１に記載の組成物。
【請求項２３】
抗原が5T4である、請求項２０〜２２のいずれか１項に記載の組成物。
【請求項２４】
１種または複数の化学療法薬が、イリノテカン、フルオロウラシル、ロイコボリン、およびオキサリプラチンから選択される、請求項１〜２３のいずれか１項に記載の組成物。
【請求項２５】
疾患を治療するための医薬の製造における、請求項１７〜２３のいずれか１項に記載の組成物の使用。
【請求項２６】
疾患が癌である、請求項２５に記載の使用。
【請求項２７】
治療において同時に、逐次的に、または別々に使用するための抗原および１種または複数の化学療法薬を含む、薬剤製品。
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
式（IIｂ）若しくは式（IIｃ）若しくは式（IIｅ）若しくは式（IIｆ）：
【化１】
2009508902.tif 000001
の少なくとも１つの化合物又は該化合物の薬学的に受容可能な塩、エステル若しくはアミド及び医薬に有用な薬学的に受容可能な担体を含む薬学的組成物。
上記式中、
−Ｘ’−は、
（ａ）
【化２】
2009508902.tif 000002
であって、ここでｍは、０、１であり；ｎは、１〜３の整数であり、
（ｂ）
【化３】
2009508902.tif 000003
であって、ここで「環」は、
【化４】
2009508902.tif 000004
であり、そしてここでＲ1は、Ｈ、ＮＯ2、ＣＦ3、Ｆ、Ｃｌ、Ｂｒ、Ｉ、ＣＮ、ＣＨ3、ＮＨ2、ＮＨアルキル、ＮＨアリール、ＮＨアシルであり、そしてｋは０、１であり、
−Ｙは、
（ａ）
【化５】
2009508902.tif 000005
であって、ｓは、０又は１であり、
Ｒ2は、ＣＯ2Ｈ、ＣＯ2アルキル、ＣＯ2アリール、ＣＯ2ＮＨ2、ＣＯ2アラルキル、ＳＯ3Ｈ、ＳＯ2ＮＨ2、ＰＯ（ＯＨ）2、１−Ｈ−テトラゾリル−、ＣＨＯ、ＣＯＣＨ3、ＣＨ2ＯＨ、ＮＨ2、ＮＨアルキル、Ｎ（アルキル）アルキル’、ＯＣＨ3、ＣＨ2ＯＣＨ3、ＳＨ、Ｆ、Ｃｌ、Ｂｒ、Ｉ、ＣＨ3、ＣＨ2ＣＨ3、ＣＮ、ＣＦ3であり、
Ｒ3は、Ｒ2から独立してＨ、ＣＨ3、ＣＨ2ＣＨ3、ＣＦ3、Ｆ、Ｃｌ、Ｂｒ、Ｉ、ＣＮ、ＮＯ2であり、そしてＲ4は、Ｒ2及びＲ3から独立してＨ、ＣＨ3、ＣＨ2ＣＨ3、ＣＦ3、Ｆ、Ｃｌ、Ｂｒ、Ｉ、ＣＮ、ＮＯ2、Ｒ2であり、
Ｒ5は、Ｈ、ＮＯ2、ＣＦ3、Ｆ、Ｃｌ、Ｂｒ、Ｉ、ＣＮ、ＣＨ3、ＯＣＨ3、ＳＨ、ＮＨ2であり、
そして−Ｗ−は、−（ＣＨ2−）v、シス−ＣＨ＝ＣＨ−又はトランス−ＣＨ＝ＣＨ−であり、そしてｖは、０、１、２であり；
−Ｗ−が、シス−ＣＨ＝ＣＨ−又はトランス−ＣＨ＝ＣＨ−である場合には、Ｒ2は、ＮＨ2又はＳＨであってはならず；
（ｅ）
【化６】
2009508902.tif 000006
であって、ここでｔは、０、１、２であり、
（ｆ）
【化７】
2009508902.tif 000007
であり、
（ｇ）
【化８】
2009508902.tif 000008
であり、
−Ｚは、
（ｉ）
【化９】
2009508902.tif 000009
であって、Ｒ7は、Ｒ2から独立してＨ、ＮＯ2、ＣＦ3、Ｆ、Ｃｌ、Ｂｒ、Ｉ、ＣＮ、ＣＨ3、ＯＣＨ3、ＳＨ、ＮＨ2であり、
（ｉｖ）
【化１０】
2009508902.tif 000010
であって、ここでＫは、ＮＨ、ＮＭｅ、Ｏ、Ｓであり、
（ｖ）
【化１１】
2009508902.tif 000011
である。
【請求項２】
化合物が、式（Ａ２）又は式（Ａ３）又は式（Ａ５）又は式（Ａ６）又は式（Ｂ２）又は式（Ｂ３）又は式（Ｂ５）又は式（Ｂ６）：
【化１２】
2009508902.tif 000012
によって定義される、請求項１に記載の薬学的組成物。
上記式中、−Ｘ’−及び−Ｙは、請求項１で定義される通りであり、そして−Ｘ’’−は、
【化１３】
2009508902.tif 000013
であり、そして−Ｙ’は、
【化１４】
2009508902.tif 000014
であり、ここですべての指標、記号及び置換基は、請求項１で定義される通りである。
【請求項３】
化合物が、式（Ｃ２）又は式（Ｃ３）又は式（Ｃ５）又は式（Ｃ６）：
【化１５】
2009508902.tif 000015
（式中、−Ｘ’’−及び−Ｙ’は、請求項２で定義される通りである）
によって定義される、請求項２に記載の薬学的組成物。
【請求項４】
化合物が、式（Ｄ２）又は式（Ｄ３）又は式（Ｄ５）又は式（Ｄ６）：
【化１６】
2009508902.tif 000016
で定義される、請求項３に記載の薬学的組成物。
上記式中、−Ｘ’’−は、請求項２で定義される通りであり、そして−Ｙ’’は、
【化１７】
2009508902.tif 000017
であって、ここでＲ9は、ＣＯ2Ｈ、ＣＯ2アルキル、ＣＯ2アリール、ＣＯ2ＮＨ2、ＣＯ2アラルキル、ＣＨ2ＳＯ3Ｈ、ＣＨ2ＳＯ2ＮＨ2、ＣＨ2ＰＯ（ＯＨ）2、１−Ｈ−テトラゾリル、ＣＨＯ、ＣＯＣＨ3、ＣＨ2ＯＨ、ＣＨ2ＮＨ2、ＣＨ2ＮＨアルキル、ＣＨ2Ｎ（アルキル）アルキル’、ＣＨ2ＯＣＨ3、ＣＨ2ＳＨであり、
ここですべての指標、記号及び置換基は、請求項１で定義される通りである。
【請求項５】
請求項３又は４に記載の式（Ｃ２）又は式（Ｃ３）又は式（Ｃ５）又は式（Ｃ６）又は式（Ｄ２）又は式（Ｄ３）又は式（Ｄ５）又は式（Ｄ６）の一般構造を有する化学物質。
【請求項６】
慢性閉塞性肺疾患（ＣＯＰＤ）、急性肺障害（ＡＬＩ）、心肺バイパス、急性呼吸促迫症候群（ＡＲＤＳ）、クローン病、敗血症性ショック、敗血症、慢性炎症性疾患（例えば乾癬、アトピー性皮膚炎及び慢性関節リウマチ）、並びに心臓発作、脳卒中、アテローム性動脈硬化症及び器官移植後に生じる再灌流障害、外傷性ショック、多臓器不全、多発性硬化症のような自己免疫疾患、経皮経管的血管形成術、喘息並びに炎症性腸疾患を処置するための医薬の製造のための、請求項１で定義される式（IIｂ）、式（IIｃ）、式（IIｅ）又は式（IIｆ）の構造を有する化合物の使用。
【請求項７】
炎症性疾患を処置、診断又は予防するための医薬の製造のための、請求項１で定義される式（IIｂ）又は式（IIｃ）又は式（IIｅ）又は式（IIｆ）の構造を有する化合物の使用。
【請求項８】
診断又は治療の薬剤標的のためのビヒクルの製造のための、請求項１で定義される式（IIｂ）又は式（IIｃ）又は式（IIｅ）又は式（IIｆ）の構造を有する化合物の使用。
【請求項９】
化粧用組成物又は皮膚科学的組成物の製造のための、請求項１で定義される式（IIｂ）又は式（IIｃ）又は式（IIｅ）又は式（IIｆ）の構造を有する化合物の使用。
【請求項１０】
請求項１に記載の式（IIｂ）又は式（IIｃ）又は式（IIｅ）又は式（IIｆ）の少なくとも１つの化合物及び少なくとも１つの化粧用に許容される成分を含む化粧用組成物。
【請求項１１】
請求項１に記載の式（IIｂ）又は式（IIｃ）又は式（IIｅ）又は式（IIｆ）の少なくとも１つの化合物及び少なくとも１つの皮膚科学的に許容される成分を含む皮膚科学的組成物。
【手続補正書】
【提出日】平成21年4月9日(2009.4.9)
【手続補正１】
【補正対象書類名】特許請求の範囲
【補正対象項目名】全文
【補正方法】変更
【補正の内容】
【特許請求の範囲】
【請求項１】
少なくとも１種のアルカノールアミンのカルバメートを含む発泡剤およびポリオールとポリイソシアネートとの反応のための少なくとも１種の触媒の存在下でポリイソシアネート成分とポリオール成分とを混合するステップと、得られた混合物を基材の空洞の中に分注する(dispensing)ステップと、混合物を硬化させて、基材に付着した１．５〜４０ポンド毎立方フィート（２４〜６４０ｋｇ／ｍ3）のかさ密度を有するフォーム（発泡体）を形成させるのに十分な条件に付すステップとを含む、基材の開口空洞に付着した硬質ポリウレタンフォームを形成する方法であって、
（ａ）ポリイソシアネート成分が、ポリイソシアネート化合物またはオキサゾリドン基および遊離イソシアネート基を含む少なくとも１種の中間体を含むその混合物を含み、
（ｂ）ポリオール成分が、少なくとも約２．０の平均官能基数を有し、少なくとも１種のポリオールを含むイソシアネート反応性物質を含み、
（ｃ）ポリイソシアネート成分中のイソシアネート基とポリオール成分中のイソシアネート反応性基の数との比は、約０．７：１〜約１．５：１である方法。
【請求項２】
ポリイソシアネート成分が、１５０〜４００のイソシアネート当価重量(equivalent weight)を有する、請求項１に記載の方法。
【請求項３】
ポリイソシアネート化合物またはその混合物が、イソシアネート基１個当たり約０．０５〜約０．３３個のオキサゾリドン基を含む、請求項１または２に記載の方法。
【請求項４】
ポリイソシアネート化合物またはその混合物が、イソシアネート基１当量当たり０〜０．０２５当量のイソシアヌレート基を含む、請求項１から３のいずれかに記載の方法。
【請求項５】
ポリイソシアネート化合物またはその混合物が、イソシアネート基１当量当たり０〜０．０１当量のイソシアヌレート基を含む、請求項１から４のいずれかに記載の方法。
【請求項６】
ポリオール成分中のイソシアネート反応性物質が、少なくとも２．５の平均官能基数を有する、請求項１から５のいずれかに記載の方法。
【請求項７】
ポリオール成分中のイソシアネート反応性物質が、少なくとも１種の第３級アミン含有ポリオールまたはアミン官能化合物(amine-functional compound)を含む、請求項１から６のいずれかに記載の方法。
【請求項８】
混合物が、イソシアネート基からイソシアヌレート基を形成する反応のための触媒を本質的にもたない、請求項１から７のいずれかに記載の方法。
【請求項９】
オキサゾリドン含有イソシアネート末端中間体、ポリオール成分および少なくとも１種の発泡剤を含む反応混合物の反応生成物である硬質ポリウレタンフォームであって、発泡剤がアルカノールアミンの少なくとも１種のカルバメートを含む硬質ポリウレタンフォーム。
【請求項１０】
反応混合物中のイソシアネート官能化合物が、イソシアネート基１個当たり平均で約０．０５〜約０．３３個のオキサゾリドン基を含む、請求項９に記載のフォーム。
【請求項１１】
約１．５〜約４０ポンド／立方フィート（２４〜６４０ｋｇ／ｍ3）の密度を有する、請求項１０に記載のフォーム。
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
対象がＡＰＯＥ４対立遺伝子とホモ接合型ではない、ＭＣＩ、アルツハイマー病または他の認知症に罹患している対象の認識機能の改善に用いるＰＰＡＲγアゴニスト。
【請求項２】
対象がＡＰＯＥ４対立遺伝子とホモ接合型ではない、ＭＣＩ、アルツハイマー病または他の認知症に罹患している対象の認識機能の改善のための医薬の製造におけるＰＰＡＲγアゴニストの使用。
【請求項３】
対象が、ＡＰＯＥ４対立遺伝子とホモ接合型にならないように予め決定されている、請求項１または請求項２記載のＰＰＡＲγアゴニストまたは使用。
【請求項４】
対象が、ＡＰＯＥ４−であるかまたはＡＰＯＥ４−になるように予め決定されている、請求項１〜３のいずれか１項に記載のＰＰＡＲγアゴニストまたは使用。
【請求項５】
対象が、単一配列のＡＰＯＥ４対立遺伝子を保有するかまたは保有するように予め決定されている、請求項１〜３のいずれか１項に記載のＰＰＡＲγアゴニストまたは使用。
【請求項６】
（ｉ）ＰＰＡＲγアゴニストおよび（ｉｉ）ＡＰＯＥ４対立遺伝子とホモ接合型ではないかまたはＡＰＯＥ４対立遺伝子とホモ接合型ではないように予め決定されている対象へのＰＰＡＲγアゴニストの投与を指示する使用説明書を含むキット。
【請求項７】
使用説明書が、ＡＰＯＥ４対立遺伝子とホモ接合型ではない、ＭＣＩ、アルツハイマー病または他の認知症に罹患している対象へのＰＰＡＲγアゴニストの投与を指示する、請求項６記載のキット。
【請求項８】
対象が、１または２個のＡＰＯＥ４対立遺伝子を有するか否かを決定するための１種または複数の試薬をさらに含む、請求項６または請求項７記載のキット。
【請求項９】
１種または複数の試薬が、プローブ、プライマー、抗体およびその組み合わせからなる群より選択される、請求項８記載のキット。
【請求項１０】
対象が罹患する病態が、ＭＣＩまたはアルツハイマー病である、請求項１〜９のいずれか１項に記載のＰＰＡＲγアゴニスト、使用またはキット。
【請求項１１】
対象がＩＩ型糖尿病に罹患していない、請求項１〜１０のいずれか１項に記載のＰＰＡＲγアゴニスト、使用またはキット。
【請求項１２】
ＰＰＡＲγアゴニストがファルグリタザルである、請求項１〜１１のいずれか１項に記載のＰＰＡＲγアゴニスト、使用またはキット。
【請求項１３】
ＰＰＡＲγアゴニストがチアゾリジンジオンである、請求項１〜１１のいずれか１項に記載のＰＰＡＲγアゴニスト、使用またはキット。
【請求項１４】
チアゾリジンジオンがピオグリタゾンまたはロシグリタゾンである、請求項１３記載のＰＰＡＲγアゴニスト、使用またはキット。
【請求項１５】
ロシグリタゾンがマレイン酸ロシグリタゾンの形態である、請求項１４記載のＰＰＡＲγアゴニスト、使用またはキット。
【請求項１６】
ロシグリタゾンが、１日０．０１〜１２ｍｇの投与濃度で提供される、請求項１４または請求項１５のいずれか１項に記載のＰＰＡＲγアゴニスト、使用またはキット。
【請求項１７】
ロシグリタゾンが、１日２ｍｇ、４ｍｇまたは８ｍｇの投与濃度で提供される、請求項１６記載のＰＰＡＲγ、使用またはキット。
【請求項１８】
ロシグリタゾンが、１日８ｍｇ以上の投与濃度で提供される、請求項１６記載のＰＰＡＲγアゴニスト、使用またはキット。
【請求項１９】
ＰＰＡＲγアゴニストが、持続放出処方として存在する、請求項１〜１８のいずれか１項に記載のＰＰＡＲγアゴニスト、使用またはキット。
【請求項２０】
持続放出処方が、即効型処方のデポーおよび放出調節型のデポーを含有するコアを含む錠剤からなる、請求項１９記載のＰＰＡＲγアゴニスト、使用またはキット。
【請求項２１】
錠剤が、貫通孔；即効型デポーへの少なくとも１個の貫通孔および放出調節型デポーへの少なくとも１個の貫通孔を貫通するコーティングによって被覆される、請求項２０に記載のＰＰＡＲγアゴニスト、使用またはキット。
【請求項２２】
ＰＰＡＲγアゴニストが、１日１回用量として投与に適当な形態で存在する、請求項１〜２１のいずれか１項に記載のＰＰＡＲγアゴニスト、使用またはキット。
【請求項２３】
ＰＰＡＲγアゴニストが、アルツハイマー病または他の認知症の治療または予防のためのさらなる医薬を組み合わせて投与される、請求項１〜２２のいずれか１項に記載のＰＰＡＲγアゴニスト、使用またはキット。
【請求項２４】
さらなる医薬がコリンエステラーゼ阻害薬、ＮＭＤＡ受容体アンタゴニストまたは非ステロイド性抗炎症剤である、請求項２３記載のＰＰＡＲγアゴニスト、使用またはキット。
【請求項２５】
コリンエステラーゼ阻害薬が、タクリン、ガランタミン、リバスティグミンまたはドネペジルである、請求項２４記載のＰＰＡＲγ、使用またはキット。
【請求項２６】
ＮＭＤＡ受容体アンタゴニストがメマンチンである、請求項２４記載の方法、ＰＰＡＲγアゴニスト、使用またはキット。
【請求項２７】
非ステロイド性抗炎症剤が、ナプロキセン、イブプロフェン、ジクロフェナク、インドメタシン、ナブメトン、ピロキシカム、セレコキシブまたはアスピリンである、請求項２４記載のＰＰＡＲγアゴニスト、使用またはキット。
【請求項２８】
対象がＡＰＯＥ４対立遺伝子とホモ接合型ではないことを決定する予備決定法が、ＰＣＲに基づく方法を含む、請求項３記載の方法。
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
ロシグリタゾンまたはその医薬上許容される塩およびドネペジルまたはその医薬上許容される塩を医薬上許容される希釈剤または担体と一緒に含む組成物。
【請求項２】
ロシグリタゾンがマレイン酸ロシグリタゾンの形態である、請求項１記載の組成物。
【請求項３】
ドネペジルが塩酸ドネペジルの形態である、請求項１または請求項２記載の組成物。
【請求項４】
経口、非経口（皮下、皮内、筋肉内、静脈内および関節内を含む）、吸入（種々の定量加圧エアロゾル、噴霧器または吸入器によって生じうる微粒子ダストまたはミストを含む）、経皮（皮膚用パッチ剤を介することを含む）、直腸および局所（皮膚、口腔、舌下および眼内を含む）投与用に処方される請求項１〜３のいずれか１項に記載の組成物。
【請求項５】
水性媒体を介して即効型に処方される請求項１〜３のいずれか１項に記載の組成物を含む第１の組成物；および
水性媒体を介して放出調節型に処方されるロシグリタゾンまたはその医薬上許容される塩を含む第２の組成物からなる経口剤形。
【請求項６】
第１および第２の組成物が多重粒子である、請求項５記載の経口剤形。
【請求項７】
多重粒子が薬物コーティングまたは薬物含有ラクトース球形である、請求項６記載の経口剤形。
【請求項８】
第１の組成物を含む多重粒子がコーティングされておらず、第２の組成物を含む多重粒子が腸溶性被膜を有する、請求項６または請求項７に記載の経口剤形。
【請求項９】
多重粒子がカプセル中に充填される、請求項６〜８のいずれか１項に記載の経口剤形。
【請求項１０】
第１および第２の組成物が２つまたは複数の分離した層に配置される錠剤を成形する請求項５記載の経口剤形。
【請求項１１】
第１および第２の組成物が２つの分離した層に配置される、請求項１０に記載の経口剤形。
【請求項１２】
即効型組成物がサッカロースを含む、請求項５記載の経口剤形。
【請求項１３】
即効型組成物がラクトースを含み、ステアリン酸マグネシウムを含んでいてもよい、請求項１２記載の経口剤形。
【請求項１４】
放出調節が遅延放出および／または持続放出を含む、請求項５〜１３のいずれか１項に記載の経口剤形。
【請求項１５】
第２の組成物が、錠剤処方にて持続放出型組成物を含む、請求項１０〜１４のいずれか１項に記載の経口剤形。
【請求項１６】
第２の組成物が、半透膜でコーティングされた多重粒子の形態にて持続放出型組成物を含む、請求項６〜９のいずれか１項に記載の経口剤形。
【請求項１７】
腸溶性被膜でコーティングされる、請求項５〜１６のいずれか１項に記載の経口剤形。
【請求項１８】
請求項５〜１６のいずれか１項に記載の経口剤形を含む浸食コアおよびコア周辺の浸食コーティングからなる経口剤形であって、浸食コーティングは、前記コーティングを介して実質上完全に拡張するが、コアに侵入せずに、使用環境からコアに伝達する１個または複数の開口部を含み、コアからのロシグリタゾンまたはその医薬上許容される塩およびドネペジルまたはその医薬上許容される塩の放出が、予め決定されたｐＨ条件下で前記開口部およびコーティングの浸食を介して実質的に生じるところの、経口剤形。
【請求項１９】
コーティングの浸食がｐＨ依存性である、請求項１８記載の経口剤形。
【請求項２０】
浸食コーティングが腸溶性コーティングである、請求項１９記載の経口剤形。
【請求項２１】
被膜の開口部が、約０．１９〜約５０．３ｍｍ２の範囲であり、０．５ｍｍ〜８ｍｍの範囲の直径を有する円形開口部に相当する、請求項１８〜２０のいずれか１項に記載の経口剤形。
【請求項２２】
コアが第１および第２の組成物の分離した層を含み、被膜が、第１の開口部が第１の組成物にアクセスでき、第２の開口部が第２の組成物にアクセスできるように配置された２個の開口部を有する、請求項１８〜２１のいずれか１項に記載の経口剤形。
【請求項２３】
軽度認識障害またはアルツハイマー病に罹患している対象における認識機能の改善に用いるための請求項１〜４のいずれか１項に記載の組成物または請求項５〜２２のいずれか１項に記載の経口剤形。
【請求項２４】
軽度認識障害またはアルツハイマー病に罹患している対象における認識機能の改善のための薬剤の調製における請求項１〜４のいずれか１項に記載の組成物または請求項５〜２２のいずれか１項に記載の経口剤形の使用。
【請求項２５】
軽度認識障害またはアルツハイマー病に罹患している対象における認識機能の改善の同時、個別または連続用途のためのロシグリタゾンまたはその医薬上許容される塩およびドネペジルまたはその医薬上許容される塩の組み合わせ。
【請求項２６】
対象がＡＰＯＥ４対立遺伝子とホモ接合型ではない、請求項２３記載の組成物、請求項２４記載の使用または請求項２５記載の組み合わせ。
【請求項２７】
対象がＡＰＯＥ４対立遺伝子を保有していない、請求項２３記載の組成物、請求項２４記載の使用または請求項２５記載の組み合わせ。
【請求項２８】
対象がＡＰＯＥ４対立遺伝子とホモ接合型ではないことを決定するために、対象をスクリーニングしている、請求項２６または請求項２７に記載の組成物、使用または組み合わせ。
【請求項２９】
対象が単一配列のＡＰＯＥ４対立遺伝子を保有することを決定するために、対象をスクリーニングしている、請求項２８記載の組成物、使用または組み合わせ。
【請求項３０】
対象がＡＰＯＥ４であることを決定するために、スクリーニングしている、請求項２８記載の組成物、使用または組み合わせ。
【請求項３１】
対象が、ＭＣＩまたはアルツハイマー病に罹患しているかまたは罹患しやすい、請求項２３〜３０のいずれか１項に記載の組成物、使用または組み合わせ。
【請求項３２】
ロシグリタゾンまたはその医薬上許容される塩およびドネペジルまたはその医薬上許容される塩を含む組成物の投与に対する対象の反応性を予測する助けとしてのＭＣＩまたはアルツハイマー病に罹患しているかまたは罹患しやすい対象から得られる試料のインビボスクリーニング方法であって、対象が０または１コピーのＡＰＯＥ４対立遺伝子を保有するかどうかを決定するために前記試料をスクリーニングすることを含む、方法。
【請求項３３】
（ｉ）請求項１〜３のいずれか１項に記載の組成物および（ｉｉ）ＡＰＯＥ４対立遺伝子とホモ接合性ではない対象へのＰＰＡＲγアゴニスト（通常、医薬組成物の形態）の投与を指示する説明書を含むキット。
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
治療用組成物が、
ａ．Ｓ−ニトロソチオール第一の化合物を含んでなる第一の組成物；および
ｂ．Ｓ−ニトロソチオール化合物ではない第二の化合物を含んでなる第二の組成物であって，かつ、該第二の化合物が呼吸リズムを安定化する活性を有する組成物：
を含む、呼吸リズムを安定化するための治療用組成物。
【請求項２】
請求項１記載の治療用組成物であって、該治療用組成物が哺乳動物に投与されるものである、上記治療用組成物。
【請求項３】
第二の化合物が、呼吸リズムを安定化する能力を有する化合物である、請求項１記載の治療用組成物。
【請求項４】
請求項１〜３のいずれかに記載の治療用組成物であって、第二の化合物が、カルボニックアンヒドラーゼ阻害剤、呼吸刺激剤、麻薬アンタゴニストおよびホルモンからなる群から選ばれる、上記治療用組成物。
【請求項５】
第二の化合物が、上部気道の開通性を増加させる活性を有する化合物である、請求項１の治療用組成物。
【請求項６】
請求項５記載の治療用組成物であって、第二の化合物が、セロトニンアゴニスト、セロトニンアンタゴニスト、四環式抗うつ薬、ドーパミンに作用する作用物質、およびノルエピネフリンに作用する作用物質からなる群から選ばれる、上記治療用組成物。
【請求項７】
第二の化合物が、覚醒を促進する活性を有する化合物である、請求項１記載の治療用組成物。
【請求項８】
第二の化合物が、癲癇発作を減少させる活性を有する化合物である、請求項１記載の治療用組成物。
【請求項９】
第二の化合物が、炎症を減少させることによって上部気道の開通性を増加させる活性を有する化合物である、請求項１記載の治療用組成物。
【請求項１０】
請求項９記載の治療用組成物であって、第二の化合物が、抗ヒスタミン薬、ロイコトリエン  アンタゴニスト、５−リポキシゲナーゼ阻害剤、ステロイドおよびＣＯＸ−２インヒビターからなる群から選ばれる、上記治療用組成物。
【請求項１１】
第二の化合物が、呼吸動因を減少させる活性を有する化合物である、請求項１記載の治療用組成物。
【請求項１２】
請求項１１記載の治療用組成物であって、第二の化合物が、オピオイド鎮痛薬、鎮静性催眠薬および一般的麻酔薬からなる群から選ばれる、上記治療法組成物。
【請求項１３】
第二の化合物が、肺機能を改善する活性を有する化合物である、請求項１記載の治療用組成物。
【請求項１４】
請求項１３記載の治療用組成物であって、第二の化合物が、ステロイド、気管支拡張薬および抗コリン作動薬からなる群から選ばれる、上記治療用組成物。
【請求項１５】
Ｓ−ニトロソチオール化合物である第三の化合物をさらに含んでなる、請求項１記載の治療用組成物。
【請求項１６】
Ｓ−ニトロソチオール化合物ではない、第三の化合物をさらに含んでなる、請求項１記載の治療用組成物。
【請求項１７】
請求項８または９記載の治療用組成物であって、該治療用組成物が哺乳動物に投与されるものである、上記治療用組成物。
【請求項１８】
請求項１記載の治療用組成物であって、該治療用組成物が哺乳動物に投与され、かつ、該哺乳動物が換気補助デバイスを用いて処置される、上記治療用組成物。
【請求項１９】
請求項１８記載の治療用組成物であって、換気補助デバイスが、機械的換気器、ＣＰＡＰデバイスおよびＢｉＰＡＰデバイスからなる群から選ばれる、上記治療用組成物。
【請求項２０】
請求項１記載の治療用組成物および製薬学的に許容できる担体を含んでなる、製薬学的製剤。
【請求項２１】
請求項１３記載の治療用組成物であって、治療用組成物が哺乳動物に投与されるものである、上記治療用組成物。
【請求項２２】
請求項２１記載の治療用組成物であって、非経口、経口および口腔内投与経路からなる群から選ばれる投与経路より投与されるものである、上記治療用組成物。
【請求項２３】
請求項２２記載の治療用組成物であって、非経口投与経路が、経皮、静脈内、筋肉内および皮内投与経路からなる群から選ばれる、上記治療用組成物。
【請求項２４】
請求項２２記載の治療用組成物であって、少なくとも２つの投与経路によって投与されるものである、上記治療用組成物。
【請求項２５】
個人の弧束核における脳幹呼吸制御中枢のレベルにおける細かい換気（ＶE）を増大するための製薬学的製剤であって、
ａ．Ｓ−ニトロソチオール第一の化合物を含んでなる第一の組成物；および
ｂ．Ｓ−ニトロソチオール化合物ではない第二の化合物を含んでなる第二の組成物であって、該第二の化合物が弧束核（ｎｕｃｌｅｕｓ  ｔｒａｃｔｕｓ  ｓｏｌｉｔａｒｉｕｓ）における脳幹呼吸制御中枢のレベルにおける細かい換気（ＶE）を増大する活性を有する、組成物；
を含む治療用組成物を含んでなり、かつ、該治療用組成物が個人に投与されるものである、上記治療用組成物。
【手続補正書】
【提出日】平成21年8月19日(2009.8.19)
【手続補正１】
【補正対象書類名】特許請求の範囲
【補正対象項目名】全文
【補正方法】変更
【補正の内容】
【特許請求の範囲】
【請求項１】
協働アプリケーションにドキュメントを識別するステップと、
前記ドキュメントの協働アプリケーションと少なくとも１つのネイティブのデータフィールドとの関連付けを行うステップと、
前記協働アプリケーションから分離したアプリケーションと関連するデータストアの項目を選択するステップと、
前記選択された項目に前記ドキュメントを関係付けるステップと、
前記協働アプリケーションでの前記ドキュメントの要求を受信することに応答して、
前記選択された項目と関連付けられたデータと前記データ分野と関連付けられたデータとを受信するステップと、
前記ドキュメントの前記コンテンツを表示しないで、ユーザインターフェース上で取り出されたデータを表示するステップとを備え、
前記項目は前記複数のデータフィールドを備え、
前記項目を選択するステップは、さらに、前記選択された項目と関連付けられた複数のフィールドを識別するステップと、複数のフィールドの少なくとも１つの選択を受信するステップとを有し、
前記選択された項目と関連付けるステップがさらに、前記ドキュメントと前記複数のフィールドを少なくとも１つとを関連付けるステップを有する方法を、実行されたときに、コンピュータに実行されるコンピュータ実行可能な命令を有することを特徴とするコンピュータ可読記録媒体。
【請求項２】
前記選択された項目に関連付けられた前記取り出されたデータを記録するステップを有する命令をさらに備えることを特徴とする請求項１に記載されたコンピュータ可読記録媒体。
【請求項３】
前記データストアからの前記選択された項目と関連付けられた変更データを取り出すステップを有する命令をさらに備えることを特徴とする請求項１に記載されたコンピュータ可読記録媒体。
【請求項４】
それぞれの注釈は、前記ドキュメントに関連付けられた別のフィールドとして表現されることを特徴とする請求項１に記載のコンピュータ可読記録媒体。
【請求項５】
前記協働アプリケーションはポータルアプリケーションであることを特徴とする請求項１に記載されたコンピュータ可読記録媒体。
【請求項６】
ユーザと対話する協働アプリケーションのためのコンピュータで実行される方法であって、
前記協働アプリケーションと関連するユーザインターフェースを提供するステップと、
第２のアプリケーションと関連するデータストアにアクセスするステップと、
前記データストアから項目の選択を受信するステップと、
前記データストアから前記選択された項目と関連付けられたデータの少なくとも１部分を取り出すステップと、
前記ユーザインターフェースで、前記ドキュメントから切り離した少なくとも１つの注釈として前記ドキュメントと関連付けられたデータを表示するステップであって、前記データが前記協働アプリケーションにより提供され、前記ユーザインターフェースで、前記ドキュメントに対する別の注釈として前記選択された項目と関連付けられた前記データを表示するステップと、
前記ユーザインターフェースで、複数のコラムにおいて、前記ドキュメントと関連付けられた注釈データを表示するステップであって、複数のコラムのそれぞれのコラムが別の注釈と関連付けられるステップと、
追加の注釈データを前記ドキュメントに追加されることを可能にするステップと、
追加の注釈データを追加するための選択を受信するステップと、
追加の注釈データを追加するための前記選択に応答し、
新しいコラムの少なくとも１つを複数のコラムに追加するステップと、
少なくとも１つの新しいコラムにおいて、前記追加の注釈データを表示するステップとを備えたことを特徴とする方法。
【請求項７】
前記選択された項目に関連する複数のフィールドを識別するステップと、
前記複数のフィールドから１組のフィールドを選択できるようにするステップと、
前記１組のフィールド範囲内で各フィールドの複数のカラムに新しいカラムを追加するステップと、
前記新しいカラム内の各フィールドに関連する前記データを表示するステップとを備えることを特徴とする請求項６に記載の方法。
【請求項８】
前記選択された項目が前記第２のアプリケーションによって変更されるたことを決定するステップと、
前記選択された項目に関連づけられた変更されたデータを前記データストアから取り出すステップと、
前記ドキュメントに対する別の注釈における前記修正されたデータを前記ユーザインターフェースにおいて表示するステップとをさらに備えた方法。
【請求項９】
前記協働アプリケーションがポータルアプリケーションであることを特徴とする請求項６に記載の方法。
【請求項１０】
ドキュメントを注釈するためのコンピュータ実行システムであって、
複数のユーザによりアクセス可能であるリソースおよび／またはサービスを提供するために構成された協働アプリケーションと、
協働アプリケーションデータストアであって、前記データストアが前記協働アプリケーションにより分割されたことである少なくとも１つのドキュメントを含む協働アプリケーションデータストアと、
前記協働アプリケーションから分離されたアプリケーション上の少なくとも１つのデータストアに関連付けられた項目を選択するように構成されたピッカーと、
前記協働アプリケーションデータストアにおいて前記ドキュメントでピッカーにより選択されるように構成されたデータ関連モジュールと、
前記協働アプリケーションデータストアにおいて前記少なくとも１つのドキュメントと関連付けられたデータと、前記ピッカーにより選択された前記項目と関連付けられたデータとを示すように構成されたドキュメント注釈ユーザインターフェースと、
前記協働アプリケーションから分離された前記アプリケーションと関連付けられた前記データストアから前記ピッカーにより選択されることができるアイテムを表示するように構成されたユーザインターフェースと
を備えたシステム。
【請求項１１】
前記ドキュメント注釈ユーザインターフェースは、複数のカラムにおいてデータを表示し、それぞれのカラムは、前記ドキュメントと関連付けられたデータの別のデータエントリと関連付けられることを特徴とする請求項１０に記載のシステム。
【請求項１２】
前記項目は複数のデータタイプを備え、前記ピッカーはさらに前記複数のデータタイプの少なくとも１部分を選択するようにさらに構成されることを特徴とする請求項１１に記載のシステム。
【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
スレッド内のメッセージをナビゲートするコンピュータ実装方法であって、
前記スレッドにＣＰＵがアクセスすることと、
前記スレッド内の各メッセージヘッダに関する位置をＣＰＵが決定することと、
各メッセージヘッダに関する前記位置に少なくとも一部基づいて前記スレッド内の各メッセージの外観をＣＰＵが変更することと、
前記スレッドをＣＰＵがレンダリングすることと
を備えることを特徴とするコンピュータ実装方法。
【請求項２】
前記スレッド内の各メッセージの前記外観をＣＰＵが変更することは、各メッセージヘッダのシェーディングをＣＰＵが変更することと、グラディエントシェーディングを各メッセージヘッダにＣＰＵが適用することと、各メッセージヘッダの色をＣＰＵが変更することと、前記メッセージヘッダの少なくとも一部分をＣＰＵが折り畳むことと、前記メッセージヘッダの少なくとも一部分をＣＰＵが展開することと、各メッセージヘッダ内に識別子をＣＰＵが含むことと、選択されたときに前記スレッド内の前記メッセージに関係するナビゲーション機能を実行する選択可能なユーザインターフェース要素を前記メッセージヘッダのうちの少なくとも１つ内にＣＰＵが含むこととのうちの少なくとも１つを実行することを備えることを特徴とする請求項１に記載のコンピュータ実装方法。
【請求項３】
前記スレッド内の各メッセージヘッダに関する前記位置をＣＰＵが決定することは、前記メッセージヘッダの位置を識別するために前記スレッドに試行錯誤法をＣＰＵが適用することを備えることを特徴とする請求項１に記載のコンピュータ実装方法。
【請求項４】
前記スレッド内の各メッセージヘッダに関する前記位置をＣＰＵが決定することは、送信者フィールド、宛先フィールド、件名フィールド、およびメッセージフィールドのうちの少なくとも１つをＣＰＵが探し出すことを備えることを特徴とする請求項３に記載のコンピュータ実装方法。
【請求項５】
マークアップ言語を使用して前記スレッドをＣＰＵがタグ付けすることをさらに備え、前記スレッドをＣＰＵがタグ付けすることは各メッセージに関連する少なくとも１つの要素をＣＰＵがタグ付けすることを備えることを特徴とする請求項１に記載のコンピュータ実装方法。
【請求項６】
前記要素は、メッセージヘッダ要素と、メッセージ要素と、送信者要素と、送信日要素と、宛先要素と、ｃｃ要素と、ｂｃｃ要素と、件名要素と、値要素とのうちの少なくとも１つであることを特徴とする請求項５に記載のコンピュータ実装方法。
【請求項７】
前記タグ付けすることは、前記スレッドに一時的に関連していることを特徴とする請求項５に記載のコンピュータ実装方法。
【請求項８】
前記マークアップは、ＸＭＬマークアップであることを特徴とする請求項５に記載のコンピュータ実装方法。
【請求項９】
ユーザが前記メッセージのうちの１つの上をホバーしているときにＣＰＵが決定し、前記スレッド内の１つのメッセージから前記スレッド内の他のメッセージにＣＰＵがナビゲートするために選択されることができるナビゲーション制御をＣＰＵが表示することをさらに備えることを特徴とする請求項１に記載のコンピュータ実装方法。
【請求項１０】
前記ナビゲーション制御は、それが、前記スレッドがナビゲートされる画面位置とほぼ同一の画面位置にとどまるようにＣＰＵによって表示されることを特徴とする請求項９に記載のコンピュータ実装方法。
【請求項１１】
前記スレッド内の前記メッセージの順序をＣＰＵが逆にすることをさらに備えることを特徴とする請求項１に記載のコンピュータ実装方法。
【請求項１２】
スレッド内のメッセージをナビゲートするシステムであって、
前記スレッドをアクセスする手段と、
前記スレッドの各メッセージヘッダに関する位置を決定する手段と、
各メッセージヘッダの外観を変更する手段と、
メッセージヘッダ内に表示される少なくとも１つのナビゲーション制御を使用して前記スレッド内でナビゲートする手段と、
前記スレッドをレンダリングする手段と
を備えることを特徴とするシステム。
【請求項１３】
各メッセージの前記外観を変更する手段は、各メッセージヘッダのシェーディングを変更することを備えることを特徴とする請求項１２に記載のシステム。
【請求項１４】
ＸＭＬスキーマにより前記スレッドをタグ付けする手段をさらに備えることを特徴とする請求項１３に記載のシステム。
【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
１つまたは複数のペイロードソフトウェアアプリケーション１５０を実行するように適合されたプロセッサ１１０と、
前記プロセッサ１１０に結合された少なくとも１つのシステムバス１２０と、
前記少なくとも１つのシステムバス１２０に結合された少なくとも１つのハードウェアデバイス１３０−１〜１３０−Ｎとを含み、
前記プロセッサ１１０は、インターフェーシング・ソフトウェアスタック２１０を実行するようにさらに適合され、
前記ソフトウェアインターフェーススタックは、
前記１つまたは複数のペイロードソフトウェアアプリケーション１５０からの１つまたは複数の関数呼び出しに応答する周辺装置ドライバ層２１４と、
前記１つまたは複数のペイロードソフトウェアアプリケーション１５０および前記周辺装置ドライバ層２１４のうちの１つまたは両方からの１つまたは複数の関数呼び出しに応答するデバイス抽象化層２１３と、
前記デバイス抽象化層２１３、前記１つまたは複数のペイロードソフトウェアアプリケーション１５０および前記周辺装置ドライバ層２１４のうちの１つまたは複数からの１つまたは複数の関数呼び出しに応答するバス抽象化層２１２と、
前記バス抽象化層２１２、前記デバイス抽象化層２１３、前記１つまたは複数のペイロードソフトウェアアプリケーション１５０および前記周辺装置ドライバ層２１４のうちの１つまたは複数からの１つまたは複数の関数呼び出しに応答するインフラストラクチャサービス層２１１と、を含む、
組込型コンピュータ処理システム。
【請求項２】
前記インフラストラクチャサービス層２１１は、エラー処理、例外処理、診断、ログ処理、スレッド処理、スレッド保護処理および相互排除サービスのうちの１つまたは複数を含むインフラストラクチャサービスを提供するように適合され、
前記バス抽象化層２１２は、システムバス初期化、システムバス問い合わせサービス、システムバス発見サービスのうちの１つまたは複数を含む、前記少なくとも１つのシステムバスに対するバスサービスを提供するように適合され、
前記デバイス抽象化層２１３は、デバイス初期化の管理、通信セッションの管理、相互デバイス排除サービス、およびデバイス発見のうちの１つまたは複数を含む、前記少なくとも１つのハードウェアデバイスに対するデバイス管理サービスを提供するように適合され、
前記周辺装置ドライバ層２１４は、前記少なくとも１つのハードウェアデバイス１３０−１〜１３０−Ｎの各々に対し、関連付けられた周辺装置ドライバ２５０−１〜２５０−Ｍを含み、前記関連付けられた周辺装置ドライバ２５０−１〜２５０−Ｍは、前記少なくとも１つのハードウェアデバイス１３０−１〜１３０−Ｎの１つまたは複数の特殊化したサービスを前記１つまたは複数のペイロードソフトウェアアプリケーション１５０に提供するように適合されている、請求項１に記載のシステム。
【請求項３】
前記ペイロードアプリケーション１５０、前記周辺装置ドライバ層２１４、前記デバイス抽象化層２１３、前記バス抽象化層２１２、およびインフラストラクチャサービス層２１１のうちの前記１つまたは複数は、１つまたは複数の標準関数呼び出しを介して通信する、請求項１に記載のシステム。
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
ユーザインターフェースに関連する表示、およびデジタルマルチメディアオブジェクトのコレクションを操作するための方法であって、
事前定義された組織メタファの第１の選択セットを提示するステップと、
事前定義された組織メタファの前記第１の選択セットからの第１の組織メタファの選択を受信するステップと、
前記選択された第１の組織メタファ以外の事前定義された組織メタファの第２の選択セットを提示するステップと、
事前定義された組織メタファの前記第２の選択セットからの第２の組織メタファの選択を受信するステップと、
少なくとも２つのグループアイコンのうちの１つを含む結果を前記表示上に提示するステップであって、それぞれのグループアイコンが、前記選択された組織メタファに関連する規則に従って前記コレクションから選択されたデジタルマルチメディアオブジェクトグループ、および前記デジタルマルチメディアオブジェクトのコンテンツ、または前記デジタルマルチメディアオブジェクトに関連するいずれかのメタデータを提示するステップとを含み、
各グループアイコンによって示された前記デジタルマルチメディアオブジェクトグループが、結果提示規則に従って選択されることを特徴とする方法。
【請求項２】
請求項１に記載の方法であって、前記組織メタファが、時系列メタファ、地理的メタファ、画像主題メタファ、カテゴリメタファ、イベントメタファ、人メタファ、または画像コンテンツメタファのうちの少なくとも１つを含むことを特徴とする方法。
【請求項３】
携帯型表示画面上に１組のデジタルマルチメディアオブジェクトを組織的に提示するための方法であって、
事前定義された組織メタファの提示されたセットからの第１の組織メタファの選択を受信するステップと、
前記第１の組織メタファ以外の事前定義された組織メタファの提示されたセットからの第２の組織メタファの選択を受信するステップと、
前記選択された組織メタファに関連する結果規則に従って複数の前記デジタルマルチメディアオブジェクトセットを少なくとも２つのグループに編成するステップと、
前記グループのアイコン表現を提供するステップとを含み、
前記結果規則が、前記デジタルマルチメディアオブジェクトセットからデジタルマルチメディアオブジェクトを選択するための規則と、前記グループの数を選択するための規則と、デジタルマルチメディアオブジェクトを特定のアイコン表現に関連付けるための規則とを含むことを特徴とする方法。
【手続補正２】
【補正対象書類名】明細書
【補正対象項目名】発明の名称
【補正方法】変更
【補正の内容】
【発明の名称】オブジェクトコレクションをブラウズする方法